(57)【要約】【課題】店舗の売上金及び売上金に関する情報の管理を経営会社または店舗の責任者の負担とせず簡単確実に行うことができ、また、複数の店舗を抱える経営会社のような大規模の場合でも、各店舗の売上金に関する情報を一元管理して提供できる売上金管理システムを提供する。【解決手段】投入された売上金を保管する一方、売上金を金種別に読み取って売上金に関する情報を取得し、所定の締め日時までに集計した売上金集計情報を送信する現金入金装置１０１、現金入金装置１０１から送信される売上金集計情報を管理し、経営会社または店舗の端末１０３で入力される、経営会社識別情報、店舗識別情報、現金入金装置識別情報、及び日時情報の少なくとも何れかの入力に従い、対応する売上金に関する情報を特定、収集して提供する売上金管理サーバ１０２を備える。【選択図】  図１
2009048576.tif 000002
【特許請求の範囲】
【請求項１】
投入された売上金を保管する一方、当該売上金を金種別に読み取って売上金に関する情報を取得し、当該売上金に関する情報を所定の締め日時までに集計した売上金集計情報を送信する現金入金装置と、
前記現金入金装置から送信される前記売上金集計情報を管理し、経営会社または店舗の端末で入力される、経営会社識別情報、店舗識別情報、現金入金装置識別情報、及び日時情報の少なくとも何れかの入力に従い、対応する売上金に関する情報を特定、収集して提供する売上金管理サーバとを備えることを特徴とする売上金管理システム。
【請求項２】
前記売上金管理サーバは、前記経営会社または店舗の端末で入力される送金形態の選択に従って通常送金または早期送金を行うことを特徴とする請求項１に記載の売上金管理システム。
【請求項３】
前記現金入金装置は、当該現金入金装置に対して所定操作に反する操作が行われた場合にエラー対処をするとともに、前記売上金管理サーバまたは前記売上金回収会社の端末に異常を通知することを特徴とする請求項１または２に記載の売上金管理システム。
【請求項４】
前記売上金管理サーバは、前記売上金集計情報を基に前記現金入金装置に保管できる残余容量との比較判定に従って前記売上金を回収する売上金回収会社の端末に回収を要求することを特徴とする請求項１乃至３のいずれかに記載の売上金管理システム。
【請求項５】
前記売上金管理サーバは、前記売上金回収会社の端末から送信される売上金計数情報を基に売上金回収日までに取得した前記売上金集計情報を収集し、当該売上金計数情報と収集した売上金集計情報とを比較し、相違がある場合に経営会社または店舗の端末、または売上金回収会社の端末に異常を通知することを特徴とする請求項１乃至４のいずれかに記載の売上金管理システム。
【発明の詳細な説明】
【技術分野】
【０００１】
本発明は、複数の店舗の売上金に関する情報を管理し、利用者が要求する情報を提供する売上金管理システムに関する。
【０００２】
一般に、店舗の売上金は、一日の営業が終わった後に店舗内の金庫に保管され、翌日、店舗責任者が必要な釣り銭を取り分け、残りの金額を銀行等に持ち込んで預け入れている。また、店舗の売上金は、夜間等の盗難を避けるため、店舗責任者が夜間金庫に持ち込んで預け入れることもある。この場合は、翌日、店舗責任者が必要な釣り銭を受け取りに行き、残りの金額を銀行等に預け入れている。さらに、店舗の売上金は、夜間等の盗難や店舗から夜間金庫に持ち込むまでの間の危険を避けるため、銀行が提供する回収サービスにより回収されることもある。この場合は、決められた時間や曜日、例えば一日の営業が終わった後に、銀行が提携している警備会社の警備員が店舗の売上金を回収し、指定された銀行口座に振り込みを行っている。
【０００３】
一方、店舗の売上金は、一日の営業が終わった後に店舗責任者により数えられ、店舗責任者がパソコン等の端末に登録することにより日々の売上金に関する情報を管理している。店舗が個人経営のような小規模の場合は、これにより売上金の管理をしているが、複数の店舗を抱える経営会社のような大規模の場合は、さらに経営会社にメールやファックス等を用いて報告する必要がある。
【発明の開示】
【発明が解決しようとする課題】
【０００４】
しかしながら、店舗の売上金に関する情報の管理は店舗責任者の負担となり、また、店舗の売上金は人間が数えるので間違えることがある。また、複数の店舗を抱える経営会社のような大規模の場合、経営会社の担当者は、店舗からメールやファックス等で送られてくる売上金に関する情報を一つ一つ整理して登録する他、銀行に預け入れられる金額と一つ一つ比較しなければならないので、極めて大きな負担がかかっている。
【０００５】
さらに、これまで利用されていた夜間金庫は廃止される方向にあり、また、銀行の回収サービスはこれまで無償で提供されていたが有償の傾向になっている。したがって、これまでの店舗の売上金の管理の他、夜間金庫や銀行の回収サービスに変わる新たなシステムが望まれている。
【０００６】
一方、下記の特許文献１には、現金を投入することにより金種別に紙幣及び貨幣を読み取り、入金に関する情報を金種別に取得できる現金入金装置について開示している。
【特許文献１】特開２００３‐２６３６７９号公報
【０００７】
本発明は、このようなことに着目し、店舗の売上金及び売上金に関する情報の管理を経営会社または店舗の責任者の負担とせず簡単確実に行うことができ、また、複数の店舗を抱える経営会社のような大規模の場合でも、各店舗の売上金に関する情報を一元管理して提供できる売上金管理システムを提供することを目的とする。
【課題を解決するための手段】
【０００８】
本発明の売上金管理システムは、投入された売上金を保管する一方、当該売上金を金種別に読み取って売上金に関する情報を取得し、当該売上金に関する情報を所定の締め日時までに集計した売上金集計情報を送信する現金入金装置と、前記現金入金装置から送信される前記売上金集計情報を管理し、経営会社または店舗の端末で入力される、経営会社識別情報、店舗識別情報、現金入金装置識別情報、及び日時情報の少なくとも何れかの入力に従い、対応する売上金に関する情報を特定、収集して提供する売上金管理サーバとを備えることを特徴とする。これにより、店舗の売上金及び売上金に関する情報の管理を経営会社または店舗の責任者の負担とせず簡単確実に行うことができ、また、複数の店舗を抱える経営会社のような大規模の場合でも、各店舗の売上金に関する情報を一元管理して提供できる。
【０００９】
また、本発明の売上金管理システムにおいて、前記売上金管理サーバは、前記経営会社または店舗の端末で入力される送金形態の選択に従って通常送金または早期送金を行うことを特徴とする。これにより、経営会社または店舗の端末で早期送金を選択した場合は、売上金管理サーバにおいて早期送金処理が行われ、資金運用の効率化を図ることができる。
【００１０】
さらに、本発明の売上金管理システムにおいて、前記現金入金装置は、当該現金入金装置に対して所定操作に反する操作が行われた場合にエラー対処をするとともに、前記売上金管理サーバまたは前記売上金回収会社の端末に異常を通知することを特徴とする。これにより、現金入金装置に保管されている売上金の盗難を防止でき、売上金保管のセキュリティ対策をとることができる。
【００１１】
また、本発明の売上金管理システムにおいて、前記売上金管理サーバは、前記売上金集計情報を基に前記現金入金装置に保管できる残余容量との比較判定に従って前記売上金を回収する売上金回収会社の端末に回収を要求することを特徴とする。これにより、回収業務の効率化を図ることができる。
【００１２】
さらに、本発明の売上金管理システムにおいて、前記売上金管理サーバは、前記売上金回収会社の端末から送信される売上金計数情報を基に売上金回収日までに取得した前記売上金集計情報を収集し、当該売上金計数情報と収集した売上金集計情報とを比較し、相違がある場合に経営会社または店舗の端末、または売上金回収会社の端末に異常を通知することを特徴とする。これにより、売上金に関する情報の報告と、その管理の確実性を高めることができる。
【発明の効果】
【００１３】
以上、本発明によれば、店舗の売上金及び売上金に関する情報の管理を経営会社または店舗の責任者の負担とせず簡単確実に行うことができ、また、複数の店舗を抱える経営会社のような大規模の場合でも、各店舗の売上金に関する情報を一元管理して提供できる。
【発明を実施するための最良の形態】
【００１４】
以下、本発明を実施するための最良の形態について説明する。図１は、本発明の売上金管理システムの構成を示した図である。店舗には現金入金装置１０１を設置し、システムを運用する情報サービス会社には売上金管理サーバ１０２を設置している。また、複数の店舗を抱える経営会社または店舗、現金入金装置１０１内の売上金を回収する売上金回収会社にはパソコン１０３，１０４等の端末を設置している。
【００１５】
本システムを利用するためには、予め少なくとも売上金管理サーバ１０２と現金入金装置１０１、売上金管理サーバ１０２と経営会社または店舗の端末１０３、及び売上金管理サーバ１０２と売上金回収会社の端末１０４との間で通信設定を行う必要がある。その際、情報サービス会社の登録管理者は、本システムで実施するサービスの委託会社情報を売上金管理サーバ１０２に登録する。例えば、委託会社は、店舗の売上金を回収する売上金回収会社、店舗に設置した現金入金装置１０１等のメンテナンス会社、店舗の売上金の資金繰りを効率化する振込代行会社（以下、早期送金会社という）等があり、これらの情報である、会社名、住所、電話・ファックス番号、メールアドレス等の他、委託会社種別（回収、早期送金、メンテナンス）等、さらに回収会社や早期送金会社の場合は振込日の入力等を登録する。ここで、本システムにおいて、店舗の売上金の銀行への送金の形態は二つある。一つは回収会社が回収した売上金を経営会社または店舗の銀行に振り込む通常送金の形態であり、もう一つは現金入金装置１０１から送信される売上金に関する情報を基に早期送金会社が経営会社または店舗の銀行に振り込む早期送金の形態である。具体的な処理の流れについては後述する。情報サービス会社の登録管理者は、これらをパソコン等の端末を用いて売上金管理サーバ１０２に登録する。売上金管理サーバ１０２において委託会社情報が登録されたことに伴い、委託会社を識別するためのコード（以下、委託会社コードという）が発行され、各委託会社に通知される。なお、ここでいう振込日の入力とは、現金入金装置１０１内の売上金から売上金回収会社が配布する釣り銭を引いた金額を回収会社や早期送金会社が振り込む日のことである。
【００１６】
また、経営会社または店舗の登録責任者は、経営会社情報、店舗情報、利用者情報等を売上金管理サーバ１０２に登録する。例えば、経営会社情報は、経営会社名、住所、電話・ファックス番号、部署・責任者氏名、委託会社の選択（売上金回収会社、メンテナンス会社、早期送金会社（送金形態）の選択を含む）、経営会社が利用する銀行口座等がある。また、店舗情報は、店舗が属している経営会社名、店舗名、住所、電話・ファックス番号、メールアドレス等の他、現金入金装置１０１の製造番号（識別番号）、売上金回収日、必要な釣り銭の入力等がある。さらに、利用者情報は、経営会社または店舗に属する本システム利用者の部署、氏名、ユーザID、パスワード、有効期限、利用権限等がある。経営会社または店舗の登録責任者は、これらを端末１０３を用いて通信回線を介して売上金管理サーバ１０２と接続して表示画面に表示される項目に入力することにより登録する。売上金管理サーバ１０２において経営会社情報、店舗情報、利用者情報等が登録されたことに伴い、経営会社を識別するためのコード（以下、経営会社コードという）や店舗を識別するためのコード（以下、店舗コードという）、利用者を識別するためのコード（以下、利用者コードという）等が発行され、経営会社または店舗、利用者等に通知され、当該発行された経営会社コード、店舗コード、利用者コード等が記録された認証カードが店舗責任者に配布される。また、経営会社が利用する銀行口座、売上金回収日、必要な釣り銭の入力等、回収に必要な情報は、売上金回収会社に通知される。なお、ここでいう委託会社の選択により経営会社または店舗の登録責任者は通常送金か早期送金の選択ができ、これに従って売上金管理サーバ１０２は通常送金または早期送金を行う。また、売上金回収日は現金入金装置１０１内の売上金を売上金回収会社の回収員が回収しに行く日のことであり、必要な釣り銭の入力とは、売上金の回収とともに売上金回収会社から配布する金額のことである。さらに、売上金回収会社にも、売上金の回収を行う経営会社コード、店舗コード等の通知の他、回収員を識別するためのコード（以下、回収員コードという）等が発行され、当該通知、発行された経営会社コード、店舗コード、回収員コード等が記録された認証カードが売上金回収員に配布される。なお、ここでいう経営会社または店舗の登録責任者による登録は、当然ながら情報サービス会社の登録管理者も行うことができる。
【００１７】
以上の設定を行うことにより本システムを利用することができる。なお、上記設定した内容は本システムを運用している中で適宜変更できるものである。その他、銀行には経営会社の銀行口座に関する情報を管理するデータベース１０５があり、これを利用することにより通信回線を介して口座照会ができる。つまり、経営会社または店舗の責任者は、端末１０３を用いて通信回線を介して当該データベース１０５と接続し、銀行口座を照会することで現金の振込みの有無について確認できる。
【００１８】
つづいて、本システムの処理の流れについて説明する。はじめに、図１を用いて、経営会社または店舗の登録責任者が通常送金の形態を選択した場合の処理の流れについて説明する。店舗の売上金は、例えば一日の営業が終わった後、店舗責任者により現金入金装置１０１に保管される。店舗責任者は、現金入金装置１０１に対して所定操作を行った上で売上金を投入する。例えば、上記発行された経営会社コード、店舗コード、利用者コード等が記録された認証カードを現金入金装置１０１のカード挿入口に挿入し、現金入金装置１０１が当該認証カードを正しく読み取ることにより正常に売上金投入口に売上金を投入することができる。一方、現金入金装置１０１に対して所定操作に反する操作が行われた場合、現金入金装置１０１の売上金投入口や売上金回収口等を完全にロックしたり、エラー音を出力したりする等、エラー対処をするとともに売上金管理サーバ１０２または売上金回収会社の端末１０４等に異常を通知することができる。これにより、現金入金装置１０１に対して無理に売上金投入口や売上金回収口を開けようとした場合等に保管されている売上金の盗難を防止できるとともに、売上金管理サーバ１０２または売上金回収会社の端末１０４等に異常が通知されるので、売上金保管のセキュリティ対策をとることができる。なお、ここでいう認証カードとは、ＩＤカード、ＩＣカード等のことをいう。
【００１９】
また、現金入金装置１０１は、投入された売上金の紙幣及び貨幣を金種別（10,000円,5,000円,2,000円,1,000円,500円,100円,50円,10円,5円,1円）に読み取り、売上金に関する情報を取得して管理する。当該情報には、投入金情報、投入金種別情報、投入日時等の他、上記認証カードに記録されている経営会社コード、店舗コード、利用者コード等がある。さらに、現金入金装置１０１は、投入された売上金に関する情報を所定の締め日時までに集計した売上金集計情報を取得し、売上金管理サーバ１０２に送信する。所定の締め日時は、例えば、店舗責任者が設定する営業日や営業終了後の時間等である。また、売上金集計情報は、前回の締め日時から今回の締め日時までに投入された売上金に関する情報を集計したものであり、当該情報には、集計金情報、集計金種別情報、締め日時等、それまでに投入された投入金情報、投入金種別情報、投入日時等があり、その他に、経営会社識別コード、店舗識別コード、利用者コード、現金入金装置識別番号等がある。
【００２０】
売上金管理サーバ１０２は、現金入金装置１０１から送信される売上金集計情報を管理する。例えば、売上金集計情報に示される経営会社識別コードを基に経営会社別に整理して管理する。また、売上金管理サーバ１０２は、インターネット等の通信回線を介して専用ＵＲＬにアクセスする推奨スペックを備えたパソコン等の端末に対してＷｅｂ上で売上金集計情報を提供できるよう処理を行う。売上金集計情報の提供は閲覧だけでなく、ＣＳＶ形式等に変換後ダウンロードできるようにしている。また、売上金管理サーバ１０２は、パソコン等の端末からの売上金集計情報の更新指示に従って更新表示できるようにしている。さらに、当該売上金集計情報は、前記のとおりＷｅｂ上で情報を提供しているため、個々の端末に特別なソフトのインストールをしているわけではないので、経営企業または店舗においては、端末の定期的なソフト更新やメンテナンスをする必要もない。このように、売上金管理サーバ１０２は、経営会社が複数の店舗を抱えている場合はもちろん、経営会社が複数ある場合でも各経営会社の店舗の売上金に関する情報について一元管理でき、また、常に新しい売上金に関する情報を提供できるようにしている。
【００２１】
一方、経営会社または店舗の責任者は、端末１０３を用いて通信回線を介して売上金管理サーバ１０２と接続して表示画面に表示される項目を確認し、閲覧またはダウンロードしたい情報を入力する。例えば、経営会社または店舗の責任者が端末１０３を用いて、経営会社識別コード、店舗識別コード、現金入金装置識別コード、及び日時情報等の少なくとも何れかの入力を行うことにより、売上金管理サーバ１０２は管理されている全ての売上金集計情報から対応する売上金に関する情報を特定、収集して提供する。提供の形態は任意であり、例えば、経営会社または店舗の責任者の選択により、提供する売上金に関する情報を、日時別、店舗別、現金入金装置１０１別に提供したり、詳細な金種別に表示したりすることができる。
【００２２】
現金入金装置１０１に投入された売上金は、売上金回収会社の回収員により回収される。売上金回収会社や回収日は、予め経営会社または店舗の登録責任者が売上金管理サーバ１０２に登録したとおりであり、売上金回収会社の回収員は現金入金装置１０１内の売上金を売上金回収日に回収しに行く。売上金回収員は、現金入金装置１０１に対して所定操作を行った上で売上金を回収する。例えば、上記発行された経営会社コード、店舗コード、回収員コード等が記録された認証カードが売上金回収員に予め配布され、現金入金装置１０１が当該認証カードを正しく読み取ることにより売上金が入っているカセットを回収することができる。また、予め経営会社または店舗の登録責任者が必要な釣り銭の入力をしている場合は、売上金回収会社の回収員は用意してきた釣り銭を配布する。さらに、現金入金装置１０１には前回の回収日から今回の回収日までに投入された売上金に関する情報が管理されており、回収員による回収作業のときに都合２枚紙出力され、店舗責任者及び売上金回収員の両方が持つものとする。
【００２３】
売上金回収会社は回収したカセットに入っている売上金を計数し、紙出力した売上金に関する情報と比較して相違がないか確認した後、経営会社が利用する銀行口座に回収した売上金を振込む。なお、釣り銭を配布している場合には、売上金から配布した釣り銭を差し引いた金額を振込む。その後、経営会社の銀行口座に関する情報を管理するデータベース１０５から経営会社または店舗の端末１０３に振込完了通知がされ、経営会社または店舗の責任者は、銀行口座を照会することにより現金の振込みの有無について確認できる。なお、売上金回収員は、振込んだ金額に関する情報を端末１０４を用いて経営会社または店舗の端末１０３に送信しても良い。これにより、経営会社または店舗の責任者は、振込まれた金額に関する情報を銀行口座と照会することにより現金の振込みが正常に行われたか確認することもできる。
【００２４】
以上により、通常送金の形態を選択した場合の本システムの一連の処理が終了する。なお、本システムの一連の処理の説明において、売上金の回収は予め売上金管理サーバ１０２から通知される売上金回収日に従って行われているが、売上金管理サーバ１０２が、売上金集計情報を基に現金入金装置１０１に保管できる残余容量との比較判定に従って売上金回収会社の端末１０４に売上金回収を要求することもできる。すなわち、売上金管理サーバ１０２において現金入金装置１０１の残余容量を把握し、投入できる紙幣および貨幣のスペースが残りわずかであると判断した場合に回収を要求することにより、回収業務の効率化を図ることができる。また、売上金管理サーバ１０２において現金入金装置１０１内の売上金を入れるカセットの大きさを示す種別を登録しておくことにより、種別毎に異なる現金入金装置１０１の残余容量を把握し、種別毎に投入できる紙幣および貨幣のスペースが残りわずかであると判断した場合に回収を要求しても良い。また、売上金回収会社が計数した売上金に関する情報（以下、売上金計数情報という）を、売上金回収会社の端末１０４から売上金管理サーバ１０２へ送信し、これに従い、売上金管理サーバ１０２が、売上金回収日までに取得した売上金集計情報、つまり、前回の回収日から今回の回収日までに投入された売上金に関する情報を収集し、当該売上金計数情報と収集した売上金集計情報とを比較することにより、相違がある場合に経営会社または店舗の端末１０３、または売上金回収会社の端末１０４に異常を通知しても良く、これにより、売上金に関する情報の報告と、その管理の確実性を高めることができる。
【００２５】
次に、図２を用いて、経営会社または店舗の登録責任者が早期送金の形態を選択した場合の処理の流れについて説明する。売上金管理サーバ１０２は、現金入金装置１０１から送信される、前回の締め日時から今回の締め日時までに投入された売上金に関する情報を集計した売上金集計情報を整理して管理し、Ｗｅｂ上で売上金集計情報を提供できるよう処理を行う一方、予め登録した早期送金会社の端末１０６に送信する。早期送金会社の担当者は、売上金集計情報に相当する金額を、予め売上金管理サーバ１０２から通知される経営会社が利用する銀行口座に振込む。なお、売上金回収会社が釣り銭を配布する場合には、売上金集計情報に相当する金額から配布する釣り銭を差し引いた金額を振込む。その後、経営会社の銀行口座に関する情報を管理するデータベース１０５から経営会社または店舗の端末１０３に振込完了通知がされ、経営会社または店舗の責任者は、銀行口座を照会することにより現金の振込みの有無について確認できる。これにより、売上金回収会社の回収員が現金入金装置１０１内の売上金を回収する前に、資金化することができ、売上金の資金繰りを効率化することができる。なお、早期送金会社の担当者は、振込んだ金額に関する情報を端末１０６を用いて経営会社または店舗の端末１０３に送信しても良い。これにより、経営会社または店舗の責任者は、振込まれた金額に関する情報を銀行口座と照会することにより現金の振込みが正常に行われたか確認することもできる。
【００２６】
その後、現金入金装置１０１に投入された売上金は、売上金回収会社の回収員により回収される。売上金の回収は上述したとおりである。売上金回収会社は回収したカセットに入っている売上金を計数し、紙出力した売上金に関する情報と比較して相違がないか確認した後、早期送金会社が利用する銀行口座に回収した売上金を振込む。なお、釣り銭を配布している場合には、売上金から配布した釣り銭を差し引いた金額を振込む。その後、早期送金会社の銀行口座に関する情報を管理するデータベース１０７から早期送金会社の端末１０６に振込完了通知がされ、早期送金会社の責任者は、銀行口座を照会することにより現金の振込みの有無について確認できる。なお、売上金回収会社は、振込んだ金額に関する情報を端末１０４を用いて経営会社または店舗の端末１０３に送信しても良い。これにより、経営会社または店舗の責任者は、振込まれた金額に関する情報を銀行口座と照会することにより現金の振込みが正常に行われたか確認することもできる。
【００２７】
以上により、早期送金の形態を選択した場合の本システムの一連の処理が終了する。なお、本システムの一連の処理の説明において、売上金の回収は予め売上金管理サーバ１０２から通知される売上金回収日に従って行われているが、売上金管理サーバ１０２が、売上金集計情報を基に現金入金装置１０１に保管できる残余容量との比較判定に従って売上金回収会社の端末１０４に売上金回収を要求することもできる。すなわち、売上金管理サーバ１０２において現金入金装置１０１の残余容量を把握し、残りわずかであると判断した場合に回収を要求することにより、回収業務の効率化を図ることができる。また、売上金管理サーバ１０２において現金入金装置１０１内の売上金を入れるカセットの大きさを示す種別を登録しておくことにより、種別毎に異なる現金入金装置１０１の残余容量を把握し、残りわずかであると判断した場合に回収を要求しても良い。また、売上金回収員が計数した売上金計数情報を、売上金回収会社の端末１０４から売上金管理サーバ１０２へ送信し、これに従い、売上金管理サーバ１０２が、売上金回収日までに取得した売上金集計情報、つまり、前回の回収日から今回の回収日までに投入された売上金に関する情報を収集し、当該売上金計数情報と収集した売上金集計情報とを比較することにより、相違がある場合に経営会社または店舗の端末１０３、または売上金回収会社の端末１０４に異常を通知しても良く、これにより、売上金に関する情報の報告と、その管理の確実性を高めることができる。
【００２８】
以上、本実施の形態によれば、店舗の売上金及び売上金に関する情報の管理を経営会社または店舗の責任者の負担とせず簡単確実に行うことができ、また、複数の店舗を抱える経営会社のような大規模の場合でも、各店舗の売上金に関する情報を一元管理して提供できる。
【００２９】
また、売上金管理サーバは、経営会社または店舗の端末で入力される送金形態の選択に従って通常送金または早期送金を行うことができ、早期送金を選択した場合は、資金運用の効率化を図ることができる。
【００３０】
さらに、現金入金装置１０１に対して所定操作に反する操作が行われた場合、現金入金装置１０１がエラー対処をするとともに売上金管理サーバ１０２または売上金回収会社の端末１０４等に異常を通知することにより、現金入金装置１０１に保管されている売上金の盗難を防止でき、売上金保管のセキュリティ対策をとることができる。
【００３１】
また、売上金管理サーバ１０２は、売上金集計情報を基に現金入金装置１０１に保管できる残余容量との比較判定に従って売上金を回収する売上金回収会社の端末に回収を要求することにより、回収業務の効率化を図ることができる。
【００３２】
さらに、売上金管理サーバ１０２は、売上金回収会社の端末から送信される売上金計数情報を基に売上金回収日までに取得した売上金集計情報を収集し、当該売上金計数情報と収集した売上金集計情報とを比較し、相違がある場合に経営会社または店舗の端末１０３、または売上金回収会社の端末１０４に異常を通知することにより、売上金に関する情報の報告と、その管理の確実性を高めることができる。
【産業上の利用可能性】
【００３３】
上記実施の形態では、一の店舗に対して一の現金入金装置１０１を設置する形態を例にして説明しているが、本システムは複数の店舗に対して一の現金入金装置１０１を設置することもできる。すなわち、複数の店舗が同じ現金入金装置１０１を利用して各店舗の売上金を保管することができ、売上金管理サーバ１０２においても各店舗の売上金に関する情報を別々に管理することもできる。
【００３４】
上記したように、店舗責任者は、経営会社コード、店舗コード、利用者コード等が記録された認証カードを用いることにより、現金入金装置１０１に売上金を投入、保管している。売上金の投入の度に、現金入金装置１０１は、当該認証カードに記録されている経営会社コード、店舗コード、利用者コード等を取得し、当該店舗コードにより店舗を特定することができるので、売上金および売上金に関する情報を店舗別に管理するとともにこれを送信することができ、売上金管理サーバ１０２においても各店舗の売上金に関する情報を一元管理して提供することができる。
【００３５】
一方、売上金回収員は、経営会社コード、店舗コード、回収員コード等が記録された認証カードを用いることにより、現金入金装置１０１に保管された売上金を回収している。売上金の回収の度に、現金入金装置１０１は、当該認証カードに記録されている経営会社コード、店舗コード、回収員コード等を取得し、当該店舗コードにより店舗を特定することができるので、売上金および売上金に関する情報も店舗別に取得することができる。
【００３６】
こうしたことから、現金入金装置１０１内の売上金を管理する構造としては、例えば、現金入金装置１０１内に各店舗に対応する複数のカセットを設置して管理する形態、現金入金装置１０１内に設置する一のカセットでまとめて管理する形態などが考えられる。具体的に、前者の形態において、現金入金装置１０１は、売上金投入時、店舗責任者の認証カードから店舗を特定すると、特定した店舗に対応するカセットに売上金を保管する。一方、現金入金装置１０１は、売上金回収時、売上金回収員の認証カードから店舗を特定すると、特定した店舗に対応するカセットを回収口から取り出せるようにする。また、後者の形態において、現金入金装置１０１は、売上金投入時、店舗責任者の認証カードから店舗を特定すると、店舗別に売上金に関する情報を管理して一のカセットへまとめて保管する。一方、現金入金装置１０１は、売上金回収時、売上金回収員の認証カードから店舗を特定すると、特定した店舗の売上金に関する情報に対応する売上金の分を一のカセットから取得して回収口から取り出せるようにする。
【００３７】
また、上記実施の形態では、売上金管理サーバ１０２を情報サービス会社に設置する形態を例にして説明しているが、当該売上金管理サーバ１０２を経営会社に設置することもできる。なお、現実に実施する売上金管理システムにおいては、本システムを包括した保険が付帯されている。経営会社または店舗では、この付帯保険があることで、現金入金装置内の売上金における盗難、強盗が発生しても補償されているため、尚更安心してシステムの導入ができる。この付帯保険は、現金入金装置内で混在している既に早期送金された売上金に関しても適用される。
【図面の簡単な説明】
【００３８】
【図１】本発明の一実施の形態の売上金管理システムの概略構成図（通常送金）
【図２】本発明の一実施の形態の売上金管理システムの概略構成図（早期送金）
【符号の説明】
【００３９】
１０１  現金入金装置
１０２  売上金管理サーバ
１０３  経営会社または店舗に設置する端末
１０４  売上金回収会社に設置する端末
１０５  経営会社の銀行口座に関する情報を管理するデータベース
１０６  早期送金会社に設置する端末
１０７  早期送金会社の銀行口座に関する情報を管理するデータベース
【図１】
2009048576.tif 000003
【図２】
2009048576.tif 000004